(57)【特許請求の範囲】
【請求項１】
被電源電圧供給部から導出された機器側放電端子及び機器側共通端子と、
機器側充電端子と、
該機器側充電端子及び上記共通端子からそれぞれ導出され、外部直流電源からの直流電圧が印加される機器側電源端子と、
上記機器側充電端子及び上記機器側放電端子間に接続されたスイッチング手段とを有し、
パック側放電端子、パック側充電端子、パック側共通端子、上記パック側放電端子及び上記パック側共通端子間に接続された充電式電池並びに上記パック側充電端子及び上記パック側放電端子間に接続された充電回路を備えた電池パックを、該電池パックの上記パック側放電端子、上記パック側充電端子及び上記パック側共通端子が、それぞれ上記機器側放電端子、上記機器側充電端子及び上記機器側共通端子に接続されるように電子機器本体に装填したとき、上記スイッチング手段がオフにされ、上記電池パックを上記電子機器本体から脱却したとき、上記スイッチング手段がオンになるようにしたことを特徴とする携帯用電子機器。
【発明の詳細な説明】
【０００１】
【発明の属する技術分野】
本発明は携帯用電子機器に関する。
【０００２】
【従来の技術】
以下に、図３を参照して、従来例の携帯用電子機器としての従来例の携帯電話機を説明する。１Ａは被電源電圧供給部としての携帯電話機の回路を示し、この携帯電話機の回路１Ａから、放電端子（機器側放電端子）１３及びアース端子（機器側共通端子）１４が導出されている。１２は充電端子（機器側充電端子）である。
【０００３】
１１は、充電端子１２及びアース端子１４からそれぞれ導出され、外部電源（外部直流電源）７からの直流電圧が印加されるジャック（外部電源入力端子）である。この外部電源７は、ＡＣアダプタ９を備え、そのＡＣアダプタ９のの１００Ｖの商用交流電圧入力端子にＡＣプラグ８を接続し、その直流電圧出力端子にピンプラグ（外部電源出力端子）１０を接続した場合である。そして、外部電源７のピンプラグ１０が、機器本体側のジャック１１に結合し得るように構成されている。
【０００４】
４はバッテリパック（電池パック）で、パック放電端子１７、パック充電端子１６、パックアース端子（パック側共通端子）１８、パック放電端子１７及びパックアース端子１８間に接続された電池セル（直列接続された複数の充電式電池からなり、全体としてパックされている）２０並びにパック充電端子１６及びパックアース端子１８間に接続された充電２次回路（直流電圧安定可回路を備える充電回路）１９Ａを備えている。
【０００５】
バッテリパック４を、携帯電話機本体に装填するときは、バッテリパック４のパック放電端子１７、パック充電端子１６及びパックアース端子１８のそれぞれを、機器本体側のそれぞれ放電端子１３、充電端子１２、アース端子１４に接続させる。そして、ピンプラグ１０及びジャック１を結合する。
【０００６】
そして、外部電源７からの直流電圧が、携帯用電話機の充電２次回路１９及び電池セル２０の直列回路の両端に印加されて、電池セル２０に充電が行われる。
【０００７】
電池セル２０に対する充電が終了したら、ピンプラグ１０がジャック１１から脱却される。かくすると、パッテリパック４の電池セル２０よりの直流電圧は、携帯電話機の回路１Ａに印加される。
【０００８】
【発明が解決しようとする課題】
かかる図３の従来例の携帯電話機からバッテリパック４を脱却した状態で、例えば、外部電源７のピンプラグ１０を、ジャック１１に結合させたとしても、その外部電源７からの直流電圧を、携帯電話機の回路１Ａに印加することができない。このため、例えば、携帯電話機をテスタで調べる場合に不便である。
【０００９】
因みに、充電回路１９Ａがバッテリパック４の外側にある場合には、機器側充電端子１２及び機器側放電端子１３を共通とすることができるところから、このような問題は生じない。
【００１０】
かかる点に鑑み、本発明は、被電源電圧供給部から導出された機器側放電端子及び機器側共通端子と、機器側充電端子と、その機器側充電端子及び共通端子からそれぞれ導出され、外部直流電源からの直流電圧が印加される機器側電源端子とを有し、パック側放電端子、パック側充電端子、パック側共通端子、パック側放電端子及びパック側共通端子間に接続された充電式電池並びにパック側充電端子及びパック側放電端子間に接続された充電回路を備えた電池パックを、その電池パックのパック側放電端子、パック側充電端子及びパック側共通端子が、それぞれ機器側放電端子、機器側充電端子及び機器側共通端子に接続されるようにすると共に、機器側電源端子に外部直流電源からの直流電圧を印加することによって、電池パックに充電を行うことができるようにした携帯用電子機器において、電池パックを機器本体から脱却させた後に、機器側電源端子に外部直流電源からの直流電圧を印加した場合にも、被電源電圧供給部にその直流電圧を印加することのできるものを提案しようとするものである。
【００１１】
【課題を解決するための手段】
本発明による携帯用電子機器は、被電源電圧供給部から導出された機器側放電端子及び機器側共通端子と、機器側充電端子と、その機器側充電端子及び共通端子からそれぞれ導出され、外部直流電源からの直流電圧が印加される機器側電源端子と、機器側充電端子及び機器側放電端子間に接続されたスイッチング手段とを有し、パック側放電端子、パック側充電端子、パック側共通端子、パック側放電端子及びパック側共通端子間に接続された充電式電池並びにパック側充電端子及びパック側放電端子間に接続された充電回路を備えた電池パックを、その電池パックのパック側放電端子、パック側充電端子及びパック側共通端子が、それぞれ機器側放電端子、機器側充電端子及び機器側共通端子に接続されるように電子機器本体に装填したとき、スイッチング手段がオフにされ、電池パックを電子機器本体から脱却したとき、スイッチング手段がオンになるようにしたものである。
【００１２】
かかる本発明によれば、電池パックを電子機器本体に装填したとき、スイッチング手段がオフとなるので、機器側電源端子に外部直流電源からの直流電圧を、電池パックの充電回路及び充電式電池の直列回路に印加することができ、充電式電池に充電を行うことができる。
【００１３】
又、電池パックを電子機器本体から脱却したときは、スイッチング手段がオンになるので、外部直流電源からの直流電圧を機器側電源端子に印加したとき、その直流電圧を被電源電圧供給部に印加することができる。
【００１４】
【発明の実施の形態】
本発明は、被電源電圧供給部から導出された機器側放電端子及び機器側共通端子と、機器側充電端子と、その機器側充電端子及び共通端子からそれぞれ導出され、外部直流電源からの直流電圧が印加される機器側電源端子と、機器側充電端子及び機器側放電端子間に接続されたスイッチング手段とを有し、パック側放電端子、パック側充電端子、パック側共通端子、パック側放電端子及びパック側共通端子間に接続された充電式電池並びにパック側充電端子及びパック側放電端子間に接続された充電回路を備えた電池パックを、その電池パックのパック側放電端子、パック側充電端子及びパック側共通端子が、それぞれ機器側放電端子、機器側充電端子及び機器側共通端子に接続されるように電子機器本体に装填したとき、スイッチング手段がオフにされ、電池パックを電子機器本体から脱却したとき、スイッチング手段がオンになるようにした携帯用電子機器である。
【００１５】
〔発明の実施の形態の具体例〕
以下に、図２Ａ及び図１を参照して、本発明の実施の形態の具体例としての携帯電話機を説明する。図２Ａ及び図１において、従来例の図３と対応する部分には、同一符号を付して説明する。以下の説明では、図２Ａを主として説明し、図２Ａでは説明できなかった部分を、図１を参照して説明する。
【００１６】
１Ａは被電源電圧供給部としての携帯電話機の回路を示し、この携帯電話機の回路１Ａから、放電端子（機器側放電端子）１３及びアース端子（機器側共通端子）１４が導出されている。１２は充電端子（機器側充電端子）である。図１に示すように、機器本体（携帯電話機本体）２１上に端子基板３が設けられ、その端子基板３の一方の端部に端子部２が設けられ、その端子部２に、上述の端子１２、１３、１４が設けられている。これら端子１２、１３、１４は共に板ばねから構成されている。
【００１７】
携帯電話機の回路１Ａは、図１に示す如く機器本体２１上に設けられたメイン回路５に対応し、送受信する信号を処理するベースバンド回路、電波を送信する送信回路、電波を受信する高周波回路等を含んでいる。図１に示すように、機器本体２１の端部には、外装部６が設けられ、この外装部６に、図示を省略したアンテナ、液晶表示装置、スピーカ、マイク等が固定される。
【００１８】
１１はジャック（機器側電源電圧入力端子）で、充電端子１２及びアース端子１４からそれぞれ導出され、外部電源（外部直流電源）７からの直流電圧が印加される。このジャック１１は、図１に示す如く、端子部２の、端子１２、１３、１４とは反対側の面に設けられている。外部電源７は、ＡＣアダプタ９を備え、そのＡＣアダプタ９の１００Ｖの商用交流電圧入力端子にＡＣプラグ８を接続し、その直流電圧出力端子にピンプラグ（直流電源電圧出力端子）１０を接続した場合である。そして、外部電源７のピンプラグが１０が、機器側のジャック１１に結合されることによって、外部電源７よりの電源電圧が機器本体２１側に印加されるようになされている。
【００１９】
４はバッテリパック（電池パック）で、パック放電端子（パック側放電端子）１７、パック充電端子（パック側充電端子）１６、パックアース端子（パック側共通端子）１８、パック放電端子１７及びパックアース端子１８間に接続された電池セル（直列接続された複数の充電式電池からなり、全体としてパックされている）２０並びにパック充電端子１６及びパックアース端子１８間に接続された、直流電圧安定可回路を備える充電２次回路（充電回路）１９Ａ（図１に示す充電２次回路基板１９に設けられている）を備えている。
【００２０】
図２Ａ及び図１に示す如く、充電端子１２及び放電端子１３間に、バッテリパック４を機器本体２１に装填したときはオフとなり、バッテリパック４を機器本体２１から脱却するときは、オンとなるスイッチ（スイッチング手段）（マイクロスイッチ）１５を接続する。
【００２１】
このスイッチ１５を設ける代わりに、図２Ｂ及び図１に示す如く、放電端子１３に接続された金属リード２３を固定端子として端子部２に設けると共に、充電端子１２を板ばね状とし、その一部を接点（可動接点）２４とし、バッテリパック４を機器本体２１に装填したときは、接点２４が金属リード２３から離間し、バッテリパック４を機器本体２１から脱却したときは、接点２４が金属リード２３に接触するようにしても良い。これら接点２４及び金属リード２３にて、リーフスイッチが構成される。
【００２２】
更に、スイッチ１５の代わりに、ＦＥＴ（電界効果トランジスタ）等の半導体スイッチング素子を設けて、充電端子１２及び放電端子１３間に接続し、バッテリパック４が機器本体２１から脱却されているときは、その半導体スイッチング素子がオンになっており、バッテリパック４を機器本体２１に装填したとき、電池セル２０から携帯電話機の回路１Ａに電流が流れることを検出する検出手段を設け、その検出手段によって、半導体スイッチング素子をオフするようにしても良い。
【００２３】
バッテリパック４を、機器本体（携帯電話機本体）２１に装填するときは、図１に示す如く、バッテリパック４を機器本体２１に設けられた互いに平行な一対のバッテリ受け２２、２２にスライドさせ、バッテリパック４のパック放電端子１７、パック充電端子１６及びパックアース端子１８のそれぞれを、機器本体２１側のそれぞれ放電端子１３、充電端子１２、アース端子１４に接触させて電気的に接続する。
【００２４】
このとき、スイッチ（マイクロスイッチ）１５の場合は、バッテリパック４が機器本体２１に装填されていないときは、このスイッチ１５はオンとなっており、バッテリパック４の機器本体２１への装填によって、そのバッテリパック４によって、スイッチ１５の操作子（図示せず）が操作されて、スイッチ１５がオフとなる。その後、ピンプラグ１０及びジャック１を結合する。
【００２５】
そして、バッテリパック４を機器本体２１に装填し、スイッチ１５がオフとなっているときに、外部電源７からの直流電圧が、携帯用電話機の充電２次回路１９及び電池セル２０の直列回路の両端に印加されて、電池セル２０に充電が行われる。
【００２６】
又、金属リード２３及び接点２４からのなるリーフスイッチの場合は、バッテリパック４が機器本体２１に装填されないときは、充電端子１２即ち接点２４が金属リード２３に接触するようになされており、バッテリパック４の機器本体２１への装填によって、バッテリパック４が充電端子１２即ち接点２４を押すと、その接点２４が金属リード２３から離れて、接点２４及び金属リード２３からなるスイッチはオフになる。
【００２７】
そして、バッテリパック４を機器本体２１に装填し、接点２４が金属リード２３から離間しているときに、外部電源７からの直流電圧が、携帯用電話機の充電２次回路１９及び電池セル２０の直列回路の両端に印加されて、電池セル２０に充電が行われる。
【００２８】
電池セル２０に対する充電が終了したら、ピンプラグ１０がジャック１１から脱却される。かくすると、パッテリパック４の電池セル２０よりの直流電圧は、携帯電話機の回路１Ａに印加される。
【００２９】
バッテリパック４を機器本体２１から脱却させたときは、スイッチ（マイクロスイッチ）１５又は接点２４及び金属リード２３からなるスイッチ（リーフスイッチ）はオンになる。この状態で、外部電源７のピンプラグ１０を、ジャック１１に結合させるときは、外聞電源７からの直流電圧が携帯電話機の回路１Ａに印加される。従って、例えば、動作状態とされた携帯電話機をテスタで調べる場合に便利である。
【００３０】
携帯用電子機器は、上述の携帯電話機に限らず、携帯用テープレコーダ、携帯用ミニディスク再生装置、記録再生装置等であっても良い。
【００３１】
【発明の効果】
上述せる本発明によれば、被電源電圧供給部から導出された機器側放電端子及び機器側共通端子と、機器側充電端子と、その機器側充電端子及び共通端子からそれぞれ導出され、外部直流電源からの直流電圧が印加される機器側電源端子と、機器側充電端子及び機器側放電端子間に接続されたスイッチング手段とを有し、パック側放電端子、パック側充電端子、パック側共通端子、パック側放電端子及びパック側共通端子間に接続された充電式電池並びにパック側充電端子及びパック側放電端子間に接続された充電回路を備えた電池パックを、その電池パックのパック側放電端子、パック側充電端子及びパック側共通端子が、それぞれ機器側放電端子、機器側充電端子及び機器側共通端子に接続されるように電子機器本体に装填したとき、スイッチング手段がオフにされ、電池パックを電子機器本体から脱却したとき、スイッチング手段がオンになるようにしたので、電池パックを機器本体から脱却させた後に、機器側電源端子に外部直流電源からの直流電圧を印加した場合にも、被電源電圧供給部にその直流電圧を印加することのできる携帯用電子機器を得ることができる。従って、例えば、携帯用電子機器をテスタで調べる場合に便利である。
【図面の簡単な説明】
【図１】本発明の実施の形態の携帯用電子機器の具体例としての携帯電話機を示す斜視図である。
【図２】図１の携帯電話機の回路を示すブロック線図である。
【図３】従来例の携帯電話機の回路を示すブロック線図である。
【符号の説明】
１…携帯電話機、２…端子部、３…端子基板、４…バッテリパック、５…メイン回路、６…外装部、７…外部電源、８…ＡＣプラグ、９…ＡＣアダプタ、１０…ピンプラグ、１１…ジャック、１２…充電端子、１３…放電端子、１４…アース端子、１５…スイッチ、１６…パック充電端子、１７…パック放電端子、１８…パックアース端子、１９…充電２次回路基板、２０…電池セル、２１…機器本体、２２…バッテリ受け、２３…金属リード（固定接点）、２４…接点（可動接点）
【図１】
0003829486.tif 000002
【図２】
0003829486.tif 000003
【図３】
0003829486.tif 000004